(57)【要約】 【課題】  一連の放送番組データから楽曲データＤNを良好に取得可能な記録再生システムを提供する。【解決手段】  チューナ部３１０や通信手段３２０で受信し放送番組データ取得手段３６１で取得した放送番組データに、開始位置設定手段３６２で開始位置Ｓnを逐次設定するとともに、仮記憶制御手段３６３で開始位置Ｓnから放送番組データを部分データＰＤNとしてメモリ３４０に仮記録させる。楽曲判断手段３６４により、部分データＰＤNの音に関する楽曲特性を認識し、部分データＰＤNが楽曲か否かを判断する。楽曲データ取得手段３６５により、楽曲判断手段３６４で楽曲であると判断した部分データＰＤNの開始位置Ｓnから仮記録している放送番組データを、楽曲でないと判断するまで仮記録を延長し、楽曲データＤNとして取得する。所定の仮記録時間以上の楽曲データＤNを記録手段３５０に記録する。【選択図】 図１
2006236446.tif 000002
【特許請求の範囲】
【請求項１】
配信されるストリームデータを取得するストリームデータ取得手段と、
前記取得したストリームデータから順次所定時間間隔で部分データとして抽出してそれぞれ記憶手段に記憶させる仮記憶制御手段と、
前記部分データの特性を認識し前記部分データがコンテンツか否かを判断するコンテンツ判断手段と、
このコンテンツ判断手段にてコンテンツであると判断した前記部分データから、この部分データ以降で抽出した前記部分データがコンテンツでないと判断するまでのコンテンツであると判断した前記部分データを連結して１つのコンテンツデータとして取得するコンテンツデータ取得手段と、
を具備したことを特徴とするコンテンツ取得装置。
【請求項２】
配信されるストリームデータを取得するストリームデータ取得手段と、
前記取得したストリームデータに開始位置を逐次設定する開始位置設定手段と、
この開始位置設定手段で逐次設定された開始位置から前記ストリームデータの部分データとしてそれぞれ記憶手段に記憶させる仮記憶制御手段と、
前記記憶手段にそれぞれ記録される前記部分データの特性を認識し前記部分データがコンテンツか否かを判断するコンテンツ判断手段と、
このコンテンツ判断手段にてコンテンツであると判断した前記部分データの前記開始位置から前記ストリームデータをコンテンツデータとして取得するコンテンツデータ取得手段と、
を具備したことを特徴とするコンテンツ取得装置。
【請求項３】
請求項２に記載のコンテンツ取得装置であって、
前記コンテンツデータ取得手段は、前記コンテンツ判断手段にてコンテンツであると判断した前記部分データの開始位置以降の各開始位置からの前記部分データがコンテンツか否かを判断させる処理を継続させ、前記コンテンツ判断手段にてコンテンツでないと判断した時点をコンテンツの終了位置として前記コンテンツデータを取得する
ことを特徴とするコンテンツ取得装置。
【請求項４】
請求項２に記載のコンテンツ取得装置であって、
前記コンテンツデータ取得手段は、前記コンテンツ判断手段にてコンテンツであると判断した前記部分データの開始位置以降の各開始位置からの前記部分データがコンテンツでないと最初に判断した開始位置までをコンテンツデータとして取得する
ことを特徴とするコンテンツ取得装置。
【請求項５】
請求項２ないし請求項４のいずれかに記載のコンテンツ取得装置であって、
前記コンテンツデータ取得手段は、前記コンテンツ判断手段にてコンテンツであると判断した前記部分データのみ前記コンテンツデータとして前記仮記憶制御手段による前記記憶手段への記憶を継続させる制御をする
ことを特徴とするコンテンツ取得装置。
【請求項６】
請求項２ないし請求項４のいずれかに記載のコンテンツ取得装置であって、
前記仮記憶制御手段は、前記部分データを所定時間長で記憶させ、
前記コンテンツデータ取得手段は、前記コンテンツ判断手段にてコンテンツであると判断した前記部分データに前記ストリームデータ取得手段にて取得している前記ストリームデータを連続してコンテンツデータとして取得する
ことを特徴とするコンテンツ取得装置。
【請求項７】
請求項６に記載のコンテンツ取得装置であって、
前記開始位置設定手段は、所定時間間隔で開始位置を設定し、
前記仮記憶制御手段は、前記部分データを前記ストリームデータにおける時間軸で重畳する状態に、少なくとも前記コンテンツ判断手段にてコンテンツか否かの判断が完了するまでの時間長で前記記憶手段に記憶させる
ことを特徴とするコンテンツ取得装置。
【請求項８】
請求項２ないし請求項４のいずれかに記載のコンテンツ取得装置であって、
前記開始位置設定手段は、前記仮記憶制御手段で前記記憶手段に記憶させる前記部分データが、少なくとも前記コンテンツ判断手段にてコンテンツか否かの判断が完了するまでの時間長で前記ストリームデータにおける時間軸で重なり合うことなく連続する状態で記憶される状態に前記開始位置を逐次設定し、
前記仮記憶制御手段は、前記設定される開始位置間を前記部分データとして抽出して前記記憶手段に記憶させ、
前記コンテンツデータ取得手段は、前記コンテンツ判断手段にてコンテンツであると判断した前記部分データから、この部分データ以降で抽出した前記部分データがコンテンツでないと判断するまでのコンテンツであると判断した前記部分データを連結して１つのコンテンツデータとして取得する
ことを特徴とするコンテンツ取得装置。
【請求項９】
請求項２ないし請求項８のいずれかに記載のコンテンツ取得装置であって、
前記開始位置設定手段は、前記取得したストリームデータにおける所定のレベル以下となる無信号状態を認識し、この無信号状態を認識すると前記開始位置として設定する
ことを特徴とするコンテンツ取得装置。
【請求項１０】
請求項１ないし請求項９のいずれかに記載のコンテンツ取得装置であって、
前記コンテンツデータ取得手段は、取得した前記コンテンツデータの時間長を判断し、所定の時間長以上の前記コンテンツデータのみ取得する
ことを特徴とするコンテンツ取得装置。
【請求項１１】
請求項１ないし請求項１０のいずれかに記載のコンテンツ取得装置であって、
前記コンテンツデータ取得手段にて取得した前記コンテンツデータを記録手段へ記憶させる記憶制御手段を具備した
ことを特徴とするコンテンツ取得装置。
【請求項１２】
請求項１１に記載のコンテンツ取得装置であって、
前記記憶制御手段は、前記コンテンツデータを前記記録手段へ記録させると、前記仮記憶制御手段にて前記記憶手段に記憶した前記部分データを削除させる制御をする
ことを特徴とするコンテンツ取得装置。
【請求項１３】
配信されるストリームデータを取得するストリームデータ取得手段と、
前記取得したストリームデータに開始位置を逐次設定する開始位置設定手段と、
この開始位置設定手段で逐次設定された開始位置から前記ストリームデータの部分データとしてそれぞれ記憶手段に記憶させる仮記憶制御手段と、
前記記憶手段にそれぞれ記録される前記部分データの特性を認識しコンテンツか否かを判断するコンテンツ判断手段と、
前記コンテンツ判断手段にてコンテンツであると判断した前記部分データを記録手段にて記憶させるとともに、前記ストリームデータ取得手段にて取得している前記ストリームデータを前記部分データに連続して前記コンテンツデータとして前記記録手段に記憶させる記憶制御手段と、
を具備したことを特徴とするコンテンツ取得装置。
【請求項１４】
請求項１３に記載のコンテンツ取得装置であって、
前記記憶制御手段は、前記記録手段に前記部分データを記憶させると、前記仮記憶制御手段にて前記記憶手段に記憶した前記部分データを削除させる制御をする
ことを特徴とするコンテンツ取得装置。
【請求項１５】
請求項１３または請求項１４に記載のコンテンツ取得装置であって、
前記記憶制御手段は、前記部分データとこの部分データに連続される前記ストリームデータとの総時間長を判断し、所定の時間長以上であると判断した場合のみ前記記録手段に記憶させる
ことを特徴とするコンテンツ取得装置。
【請求項１６】
請求項１３ないし請求項１５のいずれかに記載のコンテンツ取得装置であって、
前記開始位置設定手段は、前記取得したストリームデータにおける所定のレベル以下となる無信号状態を認識し、この無信号状態を認識すると前記開始位置として設定する
ことを特徴とするコンテンツ取得装置。
【請求項１７】
請求項１２ないし請求項１６のいずれかに記載のコンテンツ取得装置であって、
入力操作に対応した操作信号を出力する操作手段を具備し、
前記記憶制御手段は、前記コンテンツデータとして前記記録手段に記憶させるか否かの前記操作手段における入力操作を促す報知を報知手段にて報知させるとともに、前記操作手段にて記憶させる旨の入力操作に対応した前記操作信号を認識すると記憶させる処理を実施する
ことを特徴とするコンテンツ取得装置。
【請求項１８】
請求項１２ないし請求項１７のいずれかに記載のコンテンツ取得装置であって、
前記記憶制御手段にて記憶された前記コンテンツデータを出力手段から出力させる制御をする出力制御手段を具備した
ことを特徴とするコンテンツ取得装置。
【請求項１９】
請求項１ないし請求項１８のいずれかに記載のコンテンツ取得装置であって、
前記仮記憶制御手段は、前記コンテンツ判断手段でコンテンツでないと判断した前記部分データを削除する制御をする
ことを特徴とするコンテンツ取得装置。
【請求項２０】
請求項１ないし請求項１９のいずれかに記載のコンテンツ取得装置であって、
前記コンテンツ判断手段は、前記部分データの音に関する特性を認識して前記部分データが楽曲か否かを判断する
ことを特徴とするコンテンツ取得装置。
【請求項２１】
請求項２０に記載のコンテンツ取得装置であって、
前記コンテンツ判断手段は、前記部分データにおける所定の音量以上の音量、所定の音域、所定の音域における所定量以上の音量のうちの少なくともいずれか１つの時間軸の特性位置およびその間隔を認識し、特性位置の間隔が略等間隔である場合に楽曲であると判断する
ことを特徴とするコンテンツ取得装置。
【請求項２２】
請求項１ないし請求項１９のいずれかに記載のコンテンツ取得装置であって、
前記コンテンツ判断手段は、前記部分データの画像に関する特性を認識して前記部分データが画像か否かを判断する
ことを特徴とするコンテンツ取得装置。
【請求項２３】
請求項１ないし請求項２２のいずれかに記載のコンテンツ取得装置であって、
前記ストリームデータ取得手段は、異なる複数のストリームデータを取得可能である
ことを特徴とするコンテンツ取得装置。
【請求項２４】
請求項１ないし請求項２３のいずれかに記載のコンテンツ取得装置であって、
前記取得したストリームデータを出力手段から出力させる出力制御手段を具備した
ことを特徴とするコンテンツ取得装置。
【請求項２５】
演算手段により、配信されるストリームデータからコンテンツデータを抽出して取得するコンテンツ取得方法であって、
前記演算手段は、
前記配信されるストリームデータから順次所定間隔で部分データとして抽出してそれぞれ記憶手段に記憶させ、
この記憶手段に記憶された前記部分データにおける特性を認識してコンテンツか否かを判断し、
この判断によりコンテンツであると判断した前記部分データから、この部分データ以降で抽出した前記部分データがコンテンツでないと判断するまでのコンテンツであると判断した前記部分データを１つのコンテンツデータとして連結する
ことを特徴とするコンテンツ取得方法。
【請求項２６】
演算手段により、配信されるストリームデータからコンテンツデータを抽出して取得するコンテンツ取得方法であって、
前記演算手段は、
前記配信されるストリームデータに開始位置を逐次設定し、
これら設定された開始位置から前記ストリームデータの部分データとして抽出してそれぞれ記憶手段に記憶させ、
この記憶手段に記憶された前記部分データにおける特性を認識してコンテンツか否かを判断し、
この判断によりコンテンツであると判断した前記部分データの前記開始位置から前記ストリームデータをコンテンツデータとして取得する
ことを特徴とするコンテンツ取得方法。
【請求項２７】
演算手段により、配信されるストリームデータからコンテンツデータを抽出して取得するコンテンツ取得方法であって、
前記演算手段は、
前記配信されるストリームデータに開始位置を逐次設定し、
これら設定された開始位置から前記ストリームデータの部分データとして抽出してそれぞれ記憶手段に記憶させ、
この記憶手段に記憶された前記部分データにおける特性を認識してコンテンツか否かを判断し、
この判断によりコンテンツであると判断した前記部分データを記録手段に記憶させるとともに、前記配信されるストリームデータを前記部分データに連続してコンテンツデータとして前記記録手段に記憶させる
ことを特徴とするコンテンツ取得方法。
【請求項２８】
演算手段を、請求項１ないし請求項２４のいずれかに記載のコンテンツ取得装置として機能させる
ことを特徴とするコンテンツ取得プログラム。
【請求項２９】
請求項２５ないし請求項２７のいずれかに記載のコンテンツ取得方法を演算手段に実行させる
ことを特徴とするコンテンツ取得プログラム。
【請求項３０】
請求項２８または請求項２９に記載のコンテンツ取得プログラムが演算手段に読取可能に記録された
ことを特徴とするコンテンツ取得プログラムを記録した記録媒体。
【発明の詳細な説明】
【技術分野】
【０００１】
本発明は、配信されるストリームデータからコンテンツデータを抽出して取得するコンテンツ取得装置、その方法、そのプログラム、および、そのプログラムを記録した記録媒体に関する。
【背景技術】
【０００２】
従来、ＦＭ放送やＡＭ放送などを受信機にて受信し、放送中の楽曲を録音する構成が知られている。この放送の楽曲を録音する構成として、例えば、デジタル音声放送に付加情報として多重伝送されるミュージック／スピーチ（Ｍ／Ｓ）識別データを利用して、デジタル音声放送の音楽情報のみを録音および再生する構成が知られている（例えば、特許文献１参照）。
【０００３】
この特許文献１に記載のものは、デジタル音声放送局からアンテナで受信した電波を信号処理部で処理したデジタルデータを、Ｍ／ＳデコーダによりＭ／Ｓ識別データを検出する。Ｍ／Ｓデータ判定回路により、現在の受信内容のものがミュージックであるかスピーチであるかを判定し、ミュージックであると判定することで、ＩＣメモリ制御回路が信号処理部からのデジタルデータを音声部へ出力させるとともに、ＩＣメモリの指定されたアドレスに書き込み、記録する構成が採られている。
【０００４】
【特許文献１】特開平８−７６７９１号公報（第２頁右欄−第３頁右欄）
【発明の開示】
【発明が解決しようとする課題】
【０００５】
しかしながら、上述した特許文献１に記載のようなＭ／Ｓ識別データを利用してデジタル放送から楽曲を録音する従来の構成では、Ｍ／Ｓ識別データを多重伝送する必要があり、デジタル放送に限られる。また、Ｍ／Ｓ識別データにより楽曲を識別するので、Ｍ／Ｓ識別データが多重伝送されていないデジタル放送やアナログ放送では、楽曲を判定できず、録音の開始および停止を手動操作する必要があり、汎用性が望めないなどの問題点が一例として挙げられる。
【０００６】
本発明は、このような実情などに鑑みて、配信されるストリームデータからコンテンツデータを良好に抽出して取得するコンテンツ取得装置、その方法、そのプログラム、および、そのプログラムを記録した記録媒体を提供することを１つの目的とする。
【課題を解決するための手段】
【０００７】
請求項１に記載の発明は、配信されるストリームデータを取得するストリームデータ取得手段と、前記取得したストリームデータから順次所定時間間隔で部分データとして抽出してそれぞれ記憶手段に記憶させる仮記憶制御手段と、前記部分データの特性を認識し前記部分データがコンテンツか否かを判断するコンテンツ判断手段と、このコンテンツ判断手段にてコンテンツであると判断した前記部分データから、この部分データ以降で抽出した前記部分データがコンテンツでないと判断するまでのコンテンツであると判断した前記部分データを連結して１つのコンテンツデータとして取得するコンテンツデータ取得手段と、を具備したことを特徴とするコンテンツ取得装置である。
【０００８】
請求項２に記載の発明は、配信されるストリームデータを取得するストリームデータ取得手段と、前記取得したストリームデータに開始位置を逐次設定する開始位置設定手段と、この開始位置設定手段で逐次設定された開始位置から前記ストリームデータの部分データとしてそれぞれ記憶手段に記憶させる仮記憶制御手段と、前記記憶手段にそれぞれ記録される前記部分データの特性を認識し前記部分データがコンテンツか否かを判断するコンテンツ判断手段と、このコンテンツ判断手段にてコンテンツであると判断した前記部分データの前記開始位置から前記ストリームデータをコンテンツデータとして取得するコンテンツデータ取得手段と、を具備したことを特徴とするコンテンツ取得装置である。
【０００９】
請求項１３に記載の発明は、配信されるストリームデータを取得するストリームデータ取得手段と、前記取得したストリームデータに開始位置を逐次設定する開始位置設定手段と、この開始位置設定手段で逐次設定された開始位置から前記ストリームデータの部分データとしてそれぞれ記憶手段に記憶させる仮記憶制御手段と、前記記憶手段にそれぞれ記録される前記部分データの特性を認識しコンテンツか否かを判断するコンテンツ判断手段と、前記コンテンツ判断手段にてコンテンツであると判断した前記部分データを記録手段にて記憶させるとともに、前記ストリームデータ取得手段にて取得している前記ストリームデータを前記部分データに連続して前記コンテンツデータとして前記記録手段に記憶させる記憶制御手段と、を具備したことを特徴とするコンテンツ取得装置である。
【００１０】
請求項２５に記載の発明は、演算手段により、配信されるストリームデータからコンテンツデータを抽出して取得するコンテンツ取得方法であって、前記演算手段は、前記配信されるストリームデータから順次所定間隔で部分データとして抽出してそれぞれ記憶手段に記憶させ、この記憶手段に記憶された前記部分データにおける特性を認識してコンテンツか否かを判断し、この判断によりコンテンツであると判断した前記部分データから、この部分データ以降で抽出した前記部分データがコンテンツでないと判断するまでのコンテンツであると判断した前記部分データを１つのコンテンツデータとして連結することを特徴とするコンテンツ取得方法である。
【００１１】
請求項２６に記載の発明は、演算手段により、配信されるストリームデータからコンテンツデータを抽出して取得するコンテンツ取得方法であって、前記演算手段は、前記配信されるストリームデータに開始位置を逐次設定し、これら設定された開始位置から前記ストリームデータの部分データとして抽出してそれぞれ記憶手段に記憶させ、この記憶手段に記憶された前記部分データにおける特性を認識してコンテンツか否かを判断し、この判断によりコンテンツであると判断した前記部分データの前記開始位置から前記ストリームデータをコンテンツデータとして取得することを特徴とするコンテンツ取得方法である。
【００１２】
請求項２７に記載の発明は、演算手段により、配信されるストリームデータからコンテンツデータを抽出して取得するコンテンツ取得方法であって、前記演算手段は、前記配信されるストリームデータに開始位置を逐次設定し、これら設定された開始位置から前記ストリームデータの部分データとして抽出してそれぞれ記憶手段に記憶させ、この記憶手段に記憶された前記部分データにおける特性を認識してコンテンツか否かを判断し、この判断によりコンテンツであると判断した前記部分データを記録手段に記憶させるとともに、前記配信されるストリームデータを前記部分データに連続してコンテンツデータとして前記記録手段に記憶させることを特徴とするコンテンツ取得方法である。
【００１３】
請求項２８に記載の発明は、演算手段を、請求項１ないし請求項２４のいずれかに記載のコンテンツ取得装置として機能させることを特徴とするコンテンツ取得プログラムである。
【００１４】
請求項２９に記載の発明は、請求項２５ないし請求項２７のいずれかに記載のコンテンツ取得方法を演算手段に実行させることを特徴とするコンテンツ取得プログラムである。
【００１５】
請求項３０に記載の発明は、請求項２８または請求項２９に記載のコンテンツ取得プログラムが演算手段に読取可能に記録されたことを特徴とするコンテンツ取得プログラムを記録した記録媒体である。
【発明を実施するための最良の形態】
【００１６】
以下、本発明に係る一実施の形態を図面に基づいて説明する。本実施の形態では、本発明のコンテンツ取得装置を備えこのコンテンツ取得装置でコンテンツとして取得したコンテンツデータを記録したり出力手段で再生させたりする処理を実施する記録再生システムを例示して説明する。また、コンテンツとしては、楽曲を例示して説明するが、静止画像や動画などの映像である画像、さらにはゲームや制御プログラムなどのアプリケーションソフトフェアなど、いずれのコンテンツを対象とすることができる。なお、本発明におけるコンテンツ取得装置としては、コンテンツデータを記録や再生する処理をする構成を備えなくてもよい。
【００１７】
〔記録再生システムの構成〕
図１は、本発明に係る一実施の形態における記録再生システムの概略構成を示すブロック図である。図２は、放送番組データと抽出する部分データと仮記録状態との関係を示す説明図で、（Ａ）は放送番組データを示す概念図、（Ｂ）は部分データを示す概念図、（Ｃ）はメモリでの仮記録状態を示す概念図である。図３は、メモリの仮記録状態を時間経過で変化する状況を示す説明図で、（Ａ）は記録開始直後の１つ目の部分データＰＤ1の仮記録状態、（Ｂ）は２つ目の部分データＰＤ2の記録開始状態、（Ｃ）は３つ目の部分データＰＤ3の記録開始状態、（Ｄ）は４つ目の部分データＰＤ4の記録開始状態、（Ｅ）は１つ目の部分データＰＤ1が所定時間記録した直後で次の５つ目の部分データＰＤ5の記録開始直前の状態、（Ｆ）は１つ目の部分データを削除してさらに次の６つ目の部分データＰＤ6の記録開始状態を示す。
【００１８】
図１において、１００はコンテンツ取得装置としても機能する記録再生システムで、この記録再生システム１００は、放送局から出力される放送波や、サーバ装置からネットワーク上に出力されるデジタル信号など、連続したストリームデータとして配信される放送番組データから、コンテンツデータである楽曲データを取得し、記録および再生する処理をするシステムである。なお、記録再生システム１００は、例えば家屋などに設置されるＡＶ機器などの他、車載用や携帯用など、各種形態として利用可能である。そして、記録再生システム１００は、出力手段２００と、コンテンツ取得装置としても機能する記録再生装置３００と、を備えている。なお、記録再生システム１００は、出力手段２００および記録再生装置３００が、別体構成あるいは一体構成など、いずれの形態とすることができる。
【００１９】
出力手段２００は、記録再生装置３００に接続され、この記録再生装置３００から出力される音声や楽曲などの音データや静止画や動画である映像などの像データを出力、すなわち再生する。この出力手段２００は、音データを再生する図示しないスピーカを備えた音出力手段２１０と、像データを再生する図示しないモニタを備えた像出力手段２２０と、を備えている。なお、音出力手段２１０と像出力手段２２０は、別体の構成に限らず、一体の構成のものでもよい。
【００２０】
記録再生装置３００は、配信されるコンテンツデータを取得し、適宜処理して記憶すなわち録画や録音などの記録や、出力手段２００で再生させる処理をする。この記録再生装置３００は、チューナ部３１０と、通信手段３２０と、操作手段３３０と、記憶手段としてのメモリ３４０と、記録手段３５０と、コンテンツ取得装置としての演算手段３６０と、を備えている。
【００２１】
チューナ部３１０は、アンテナ３１１が着脱可能に接続され、アンテナ３１１にてテレビ放送やラジオ放送、衛星放送などの各種放送波を受信する。このチューナ部３１０は、演算手段３６０に接続され、演算手段３６０の制御により、例えば所定の周波数帯の放送波を受信してストリームデータである所定の放送番組を取得し、デジタル信号である放送番組データに適宜変換する。そして、チューナ部３１０は、変換した放送番組データを演算手段３６０へ順次出力する。なお、チューナ部３１０が受信する放送波としては、例えばテレビ放送やラジオ放送、衛星放送など、地上波アナログ信号、地上波デジタル信号、衛星デジタル信号などの配信元である放送局や放送衛星などの放送基地から出力される無線媒体で、電波に限らず、光、電磁波などの各種無線媒体を対象とすることができる。また、チューナ部３１０は、放送番組に重畳して文字データや、電子番組表などの電子番組案内（ＥＰＧ：Electronic Program Guide）などの付帯情報も受信可能となっている。
【００２２】
通信手段３２０は、図示しないネットワークと送受信可能に接続される。そして、通信手段３２０は、演算手段３６０に接続され、演算手段３６０の制御により、ネットワーク上に配信される所定のデジタル信号の放送番組データを順次受信し、演算手段３６０へ順次出力する。ここで、ネットワークとしては、例えば、ＴＣＰ／ＩＰなどの汎用のプロトコルに基づくインターネット、イントラネット、ＬＡＮ（Local Area Network）、電話回線などの通信回線網などが例示できる。なお、通信手段３２０としては、例えば携帯電話などが着脱可能に接続され、携帯電話により通信回線網を利用して放送番組データを取得して演算手段３６０へ出力する構成などとすることも可能である。
【００２３】
操作手段３３０は、利用者により入力操作可能な図示しない操作ボタンや操作つまみなどを備えている。そして、操作手段３３０は、演算手段３６０に接続され、操作ボタンや操作つまみなどの利用者による入力操作に応じて所定の操作信号を演算手段３６０へ出力し、演算手段３６０で入力操作に応じた各種設定項目を入力設定させる。この操作手段３３０で設定入力される設定項目としては、例えば、チューナ部３１０で受信する対象番組であるチャンネルすなわち所定の周波数帯の設定、通信手段３２０で受信する対象番組であるＵＲＬ（Uniform Resource Locator）などのアドレスの設定、受信した対象番組の出力手段２００での出力状態の設定、楽曲の記録状態や再生状態の設定など、記録再生システム１００全体や記録再生装置３００全体の動作の設定内容の他、記録する楽曲のタイトル名や楽曲名などの付加情報を設定する語句入力などが例示できる。なお、操作手段３３０としては、操作ボタンや操作つまみなどの入力操作に限らず、例えば出力手段２００の像出力手段や別途接続される出力手段としての表示装置に設けられたタッチパネルによる入力操作や、音声による入力操作、あるいは、リモートコントローラなどの無線媒体による操作信号を出力する構成など、各種設定事項を設定入力可能ないずれの構成が適用できる。
【００２４】
メモリ３４０は、演算手段３６０に接続され、操作手段３３０で入力操作された各種設定項目の他、音データや像データ、放送番組データの一部である部分データ、それらデータの付帯情報などの各種情報を演算手段３６０が適宜読み出し可能に記憶する。このメモリ３４０に記憶される部分データは、詳細は後述するが、例えば図２に示すように、演算手段３６０で所定の開始位置から所定の時間長で放送番組データから適宜抽出される。なお、この図２は部分データの時間長の１／４時間毎に開始位置を設定した場合を例示するが、この限りではない。そして、メモリ３４０は、例えば図３に示すように、演算手段３６０で抽出する部分データを順次記憶するとともに、演算手段３６０からの制御信号により記憶している部分データが所定時間長に達した旨や削除指令などに基づいて部分データを削除する。すなわち、メモリ３４０は、部分データを所定時間長で順次記録および削除を繰り替えし、新しい部分データを次々に記録する構成となっている。なお、図３は、図２に示す抽出タイミングで部分データを記憶・削除する処理状況を例示する。また、メモリ３４０は、記録再生システム１００全体を動作制御するＯＳ（Operating System）上に展開される各種プログラムなどを記憶している。このメモリ３４０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ３４０としては、ＨＤ（Hard Disk）やＦＤ（Flexible Disk）などの磁気ディスク、ＣＤ（Compact Disc）やＤＶＤ（Digital Versatile Disc）などの光ディスク、光磁気ディスク、メモリカードなどの記録媒体に読み出し可能に記憶するドライブやドライバなどを備えた構成としてもよい。
【００２５】
記録手段３５０は、演算手段３６０に接続され、磁気ディスクや光ディスク、光磁気ディスク、メモリカードなどの記録媒体に演算手段３６０が読み出し可能に放送番組データや放送番組データから抽出した部分データ、音データである楽曲データ、コンテンツデータである像データ、さらには、それらデータの付帯情報などの各種情報を記録する。そして、記録手段３５０は、ドライブ３５１と、ドライブ制御部３５２と、を備えている。ドライブ３５１は、例えば光ピックアップや磁気ピックアップなどを有し、記録媒体に各種情報を記録および記録媒体に記録された各種情報を読み取る。ドライブ制御部３５２は、演算手段３６０により制御され、ドライブ３５１の動作を適宜制御し、演算手段３６０から取得した各種情報をドライブ３５１により記録媒体に記録させたり、記録媒体に記録された各種情報をドライブ３５１にて読み取らせて演算手段３６０へ出力させたりする。なお、記録手段３５０は、着脱可能に装着される記録媒体を対象とする構成の他、ＨＤのような記録媒体が固定のもの、さらには半導体メモリなどとしてもよい。さらには、複数のドライブ３５１を備えた構成や複数の記録媒体を装着可能な構成などとしてもよい。
【００２６】
演算手段３６０は、放送番組データや、音データ、像データを取得し、適宜処理して、記録あるいは再生させる処理をする。すなわち、演算手段３６０は、チューナ部３１０や通信手段３２０などから受信した放送番組データを、メモリ３４０や記録手段３５０に記録、あるいは出力手段２００で適宜出力させたり、メモリ３４０や記録手段３５０に記録された音データや像データ、さらには放送番組データなどを出力手段２００で適宜出力させたり、放送番組データから音データや像データを適宜抽出したり、抽出した音データや像データをメモリ３４０や記録手段３５０に記録したりする。この演算手段３６０は、例えばＣＰＵ（Central Processing Unit）を備え、図示しない各種入出力ポート、例えばチューナ部３１０が接続されるチューナポート、通信手段３２０が接続される通信ポート、操作手段３３０が接続される入力ポート、メモリ３４０が接続されるメモリポート、記録手段３５０が接続される記録ポートなどを有する。そして、演算手段３６０は、各種プログラムとして、ストリームデータ取得手段としての放送番組データ取得手段３６１と、開始位置設定手段３６２と、仮記憶制御手段３６３と、コンテンツ判断手段としての楽曲判断手段３６４と、コンテンツデータ取得手段としての楽曲データ取得手段３６５と、記憶制御手段３６６と、出力制御手段３６７と、計時手段３６８と、などを備えている。
【００２７】
放送番組データ取得手段３６１は、チューナ部３１０や通信手段３２０から出力される放送番組データを取得する。そして、放送番組データ取得手段３６１は、取得した放送番組データを、出力制御手段３６７や仮記憶制御手段あるいは記憶制御手段３６６による制御により、出力手段２００やメモリ３４０あるいは記録手段３５０へ適宜出力する。
【００２８】
開始位置設定手段３６２は、例えば操作手段３３０にて、放送番組データから楽曲データを抽出する処理を要求する旨の入力操作に対応した操作信号を認識すると、開始位置Ｓn（ｎは自然数）を設定する処理をする。この開始位置Ｓnの設定としては、例えば計時手段３６８にて計時する現在時刻に基づいて所定時間毎に設定する。なお、所定時間としては、例えば楽曲特性を認識して楽曲か否かの判断ができない程度の時間長である１秒あるいは数秒程度に設定することが例示できる。
【００２９】
仮記憶制御手段３６３は、開始位置設定手段３６２で設定された開始位置Ｓnから、例えば所定時間長で放送番組データをメモリ３４０に記録させて部分データＰＤN（Ｎは自然数）として開始位置Ｓnと関連付けて記憶、すなわち記録させる処理をする。この部分データＰＤNとして記録する所定時間長として、上述したように、例えば図２（Ｂ）および図３に示すように、時間軸における前後で記録される部分データＰＤN+1，ＰＤN-1と時間帯が部分的に重なる時間長、具体的には楽曲判断手段３６４で楽曲か否かの判断が可能な時間長となる数秒間を仮記録する構成を例示して説明する。また、仮記憶制御手段３６３は、楽曲判断手段３６４や記憶制御手段３６６からの制御信号に基づいて、部分データＰＤNを適宜削除する処理をする。なお、この部分データＰＤNの削除の際、関連付けられた開始位置Ｓnも合わせて削除する。
【００３０】
楽曲判断手段３６４は、メモリ３４０に記録された部分データＰＤNの音に関する特性である楽曲特性を認識し、部分データＰＤNが楽曲か否かを判断する処理をする。この楽曲判断手段３６４は、楽曲特性認識手段３６４Ａと、周期性判断手段３６４Ｂと、を備えている。楽曲特性認識手段３６４Ａは、例えば、楽曲特性としての低音域のピークを、計時手段３６８にて計時する現在時刻と関連付けて認識する。この低音域のピークの認識としては、例えばローパスフィルタなどにより、部分データＰＤNから所定の周波数以下となる低音域のみを取得し、その低音域の音量が所定レベル以上であるか否かにより、低音域のピークか否かとして認識する。そして、認識した低音域のピークは、現在時刻と合わせてメモリ３４０などに適宜記憶される。周期性判断手段３６４Ｂは、楽曲特性認識手段３６４Ａで認識した低音域のピークの時間間隔を演算する。そして、時間間隔が所定の誤差範囲内となる略同一間隔であるか否かを判断し、略同一間隔であると判断した場合、その部分データＰＤNは楽曲であると判断する。この判断として、例えば複数回実施し、略同一間隔であることを所定回数以上連続して認識した場合、楽曲と判断する構成を例示して説明する。そして、周期性判断手段３６４Ｂは、楽曲であると判断すると、例えばフラグ情報Ｒを、楽曲を認識していない旨の「０」から楽曲を認識した旨の「１」に変更する処理をする。
【００３１】
楽曲データ取得手段３６５は、楽曲判断手段３６４にて楽曲であると判断した部分データＰＤNの開始位置Ｓnからの放送番組データを楽曲データＤNとして取得する処理をする。例えば、楽曲であると判断した部分データＰＤNを仮記憶制御手段３６３で所定時間長で仮記録する時間を、楽曲でないと判断するまで延長して記録させる制御をする。なお、楽曲判断手段３６４にて楽曲を判断した旨は、フラグ情報Ｒが「１」か否かで判断する。また、楽曲でないと判断するまでの時間としては、例えば楽曲であると判断してから逐次記録している部分データＰＤN+M（Ｍは自然数）が楽曲でないと最初に判断した場合に、その判断した時点をその楽曲の終了時点と判断する。さらに、楽曲データ取得手段３６５は、楽曲であるとして仮記録している部分データＰＤNの開始位置Ｓnから楽曲が終了して楽曲でないと判断するまでの時間が所定時間長か否かを、例えば計時手段３６８にて計時する現在時刻に基づいて演算し、所定時間長以上であると判断したものを記録対象の候補として設定する処理もする。そして、楽曲データ取得手段３６５は、楽曲データＤNを取得した旨の信号を記憶制御手段３６６へ出力する。
【００３２】
記憶制御手段３６６は、楽曲データ取得手段３６５から楽曲データＤNを取得した旨の信号が出力されると、取得した楽曲データＤNを例えば記録手段３５０に記録するか否かの設定を促す旨の画面表示を出力手段２００の像出力手段２２０に画面表示させる。そして、記憶制御手段３６６は、画面表示に従って記録する旨の操作手段３３０における入力操作を認識することにより、記録手段３５０に記録対象の楽曲データＤNを記録手段３５０に記録させる処理をする。この記録要求の設定入力あるいは記録しない旨の設定入力を認識すると、記憶制御手段３６６は楽曲データＤNとして仮記録している部分データＰＤNを仮記憶制御手段３６３で削除させる処理をする。
【００３３】
出力制御手段３６７は、放送番組データ取得手段３６１で取得した放送番組データを、出力手段２００に出力させて適宜出力すなわち再生させる処理をする。この出力手段２００への放送番組データの出力としては、操作手段３３０で設定入力された再生状態の設定項目に応じた再生状態となるように、楽曲データＤNや音声データなどの音データは音出力手段２１０へ出力し、映像データや静止画像データなどの像データは像出力手段へ出力される。なお、テレビ放送番組などの音データおよび像データの双方を含む場合には、音と像とが対応するようにリンクさせて出力させる。また、出力制御手段３６７は、操作手段３３０による設定入力により、メモリ３４０に楽曲データＤNとして延長記録されている部分データＰＤNや記録手段３５０に記録された楽曲データＤNや放送番組データなど、適宜記録されている所定のデータの再生要求に応じて、対象のデータを適宜読み出して出力手段２００へ出力させて再生させる処理もする。
【００３４】
計時手段３６８は、例えば内部クロックなどの基準パルスに基づいて現在時刻を認識する。そして、この計時手段３６８は、認識した現在時刻に関する時刻情報を適宜出力する。
【００３５】
〔記録再生システムの動作〕
次に、上記記録再生システムの動作として、放送番組データから楽曲データＤNを抽出する処理動作を図面に基づいて説明する。なお、この楽曲データＤNを抽出する処理として、部分データＰＤNを抽出する部分データ抽出処理と、楽曲を判断して楽曲データＤNとして取得する楽曲判断取得処理とは、同時に処理できるが、説明の都合上、分けて説明する。図４は、部分データ抽出処理の動作を示すフローチャートである。図５は、放送番組データと抽出する部分データとの関係を示す説明図で、（Ａ）は放送番組データを示す概念図、（Ｂ）は部分データＰＤNを示す概念図である。図６は、楽曲判断取得処理の動作における楽曲特性を認識する処理を示すフローチャートである。図７は、楽曲判断取得処理の動作における楽曲を判断する処理を示すフローチャートである。図８は、メモリの仮記録状態を示す説明図で、（Ａ）は処理開始から所定時間経過後の各部分データＰＤNの仮記録状態、（Ｂ）は所定の部分データＰＤNが楽曲ではなく削除された状態、（Ｃ）は所定の部分データＰＤNが楽曲データＤNとして延長仮記録している状態を示す。
【００３６】
記録再生システム１００の電源が投入されて電力が供給されることにより、記録再生装置３００は、演算手段３６０の出力制御手段３６７が図示しない出力手段２００を制御して、あらかじめメモリ３４０に記憶されたメニュー画面などを表示させる処理をし、操作手段３３０における利用者の入力操作に基づく動作要求の設定の待機状態、すなわち動作待機状態となる。そして、演算手段３６０は、メニュー画面に基づいて利用者が操作手段３３０を入力操作して、所定の放送番組の受信を要求する旨の操作信号を認識すると、チューナ部３１０または通信手段３２０を動作制御し、所定の放送番組を受信させる処理をする。この処理により、チューナ部３１０や通信手段３２０で受信した放送番組データを演算手段３６０の放送番組データ取得手段３６１にて取得する。さらに、演算手段３６０の出力制御手段３６７は、取得した放送番組データを出力手段２００へ適宜出力し、あらかじめ操作手段３３０で設定入力された再生状態で再生させる。また、演算手段３６０は、利用者が操作手段３３０を入力操作することで楽曲データＤNの記録要求を設定入力すると、楽曲データＤNの取得処理を実施する。すなわち、演算手段３６０は、放送番組データから部分データＰＤNを抽出する部分データ抽出処理と、部分データＰＤNに基づいて放送番組データの楽曲部分を判断して楽曲データＤNを取得する楽曲判断取得処理とを実施する。
【００３７】
（部分データ抽出処理）
演算手段３６０は、楽曲データＤNの記録要求を設定入力すると、図４に示すように、開始位置設定手段３６２により、部分データＰＤNの所定の開始位置Ｓnである旨の変数ｎに、最初すなわち第１番目である旨の「１」を設定する（ステップＳ１０１）。この後、開始位置設定手段３６２は、第ｎ番目の開始位置Ｓnすなわち第１番目の開始位置Ｓ1を、計時手段３６８にて計時する現在時刻で設定するとともに（ステップＳ１０２）、仮記憶制御手段３６３により、開始位置Ｓ1から放送番組データ取得手段３６１で取得している放送番組データを、開始位置Ｓ1と関連付けて部分データＰＤ1としてメモリ３４０に仮記録させる（ステップＳ１０３）。
【００３８】
このステップＳ１０３の後、開始位置設定手段３６２は、計時手段３６８で計時する現在時刻に基づいて、部分データＰＤ1の仮記録を開始してから所定時間、例えば１秒間あるいは数秒間が経過したか否かを判断する（ステップＳ１０４）。このステップＳ１０４で、仮記録を開始してからあらかじめ設定された閾値の１秒間あるいは数秒間を経過していないと判断すると、仮記録を継続させる。一方、仮記録を開始してから閾値の１秒間あるいは数秒間が経過したと判断すると、利用者により操作手段３３０における入力操作にて楽曲データＤNの記録要求の停止要求があったか否かを判断する（ステップＳ１０５）。そして、このステップＳ１０５で、記録要求の停止要求があったと判断すると、楽曲データＤNの取得処理を停止する。
【００３９】
一方、ステップＳ１０５において、記録要求の停止要求がないと判断した場合には、仮記憶制御手段３６３は、現在仮記録している部分データＰＤ1の仮記録している時間長が所定時間長を経過したか否かを判断する（ステップＳ１０６）。なお、既に処理が進行し、複数の部分データＰＤNが仮記録されている場合には、各部分データＰＤNの仮記録している時間長が所定時間長、例えば楽曲判断手段３６４で楽曲か否かの判断が可能な時間長となる閾値である数秒間を経過したか否かをそれぞれ判断する。そして、ステップＳ１０６において、仮記録している時間長が閾値の所定時間長を経過していないと判断すると、開始位置設定手段３６２は、次の開始位置Ｓ2を設定するために、所定の開始位置Ｓnである旨の変数ｎに１を加える処理、すなわちｎ＝ｎ＋１の処理を実施し（ステップＳ１０７）、ステップＳ１０２に戻って処理を継続する。一方、ステップＳ１０６において、仮記録している時間長が閾値の所定時間長を経過したと判断すると、対象の部分データＰＤNの仮記録を停止し、ステップＳ１０７に進む。このようにして、例えば図２（Ａ）および図５（Ａ）に示すような放送番組データから、図２（Ｂ）、図３および図５（Ｂ）に示すように、部分データＰＤNを順次抽出して仮記録する。
【００４０】
（楽曲判断取得処理）
また、演算手段３６０は、部分データ抽出処理により開始位置Ｓnすなわち開始位置Ｓ1が設定されると、図６に示すように、開始位置Ｓ1の設定を楽曲判断手段３６４で認識し（ステップＳ２０１）、楽曲判断手段３６４により、所定の部分データＰＤNである旨の変数Ｎに、最初である第１番目の開始位置Ｓ1に対応した最初すなわち第１番目である旨の「１」を設定するとともに、楽曲データＤNの認識状態のフラグ情報Ｒに、楽曲を認識していない旨の「０」を設定する（ステップＳ２０２）。この後、楽曲判断手段３６４は、楽曲特性認識手段３６４Ａにより、第Ｎ番目の部分データＰＤNすなわち第１番目の部分データＰＤ1から楽曲特性を認識、すなわち低音域のピークを認識し、計時手段３６８にて計時する現在時刻にて低音域のピークの位置を特定する（ステップＳ２０３）。さらに、楽曲判断手段３６４は、周期性判断手段３６４Ｂにより、楽曲特性認識手段３６４Ａで認識した低音域のピークの時間間隔を演算する（ステップＳ２０４）。そして、図７に示すように、周期性判断手段３６４Ｂは、演算した時間間隔に基づいて、所定の誤差範囲内で略同一間隔であることを、例えば連続して数回認識できたか否かを判断する（ステップＳ２０５）。
【００４１】
そして、ステップＳ２０５において、周期性判断手段３６４Ｂが低音域のピークの間隔が略同一間隔であることを連続して複数回認識できたと判断すると、楽曲判断手段３６４は低音域ピークを認識した部分データＰＤ1が楽曲であると判断する（ステップＳ２０６）。この後、楽曲データ取得手段３６５は、フラグ情報Ｒが楽曲を認識した旨である「１」か否かを判断する（ステップＳ２０７）。そして、ステップＳ２０７において、フラグ情報Ｒが「１」ではないと判断すると、図５に示すように、それまで楽曲を認識しておらずステップＳ２０６にて最初に楽曲を判断したと判断し、フラグ情報Ｒに楽曲を認識した旨の「１」を設定する（ステップＳ２０８）。この後、仮記憶制御手段３６３は、図８（Ａ）に斜線で示すようなステップＳ２０６で楽曲と判断した部分データＰＤNを、図８（Ｃ）に示すように、楽曲データＤNとして仮記録を延長する処理をする（ステップＳ２０９）。なお、最初の部分データＰＤ1を判断しているので、楽曲データＤ1として仮記録を延長することとなる。そして、利用者により操作手段３３０における入力操作にて楽曲データＤNの記録要求の停止要求があったか否かを判断する（ステップＳ２１０）。
【００４２】
一方、ステップＳ２０７において、楽曲データ取得手段３６５は、フラグ情報Ｒが「１」であると判断すると、既に複数の部分データＰＤNが仮記憶されて楽曲か否かの判断がなされている状態で、既に前の部分データＰＤNの楽曲か否かの判断で楽曲であると判断しており、楽曲が継続していると判断する。このことにより、仮記憶制御手段３６３は、ステップＳ２０６で楽曲と判断した部分データＰＤNをメモリ３４０から削除させる処理をし（ステップＳ２１１）、ステップＳ２０９に進む。
【００４３】
そして、ステップＳ２１０において、記録要求の停止要求があったと判断すると、楽曲データＤNの取得処理を停止する。一方、ステップＳ２１０において、記録要求の停止要求がないと判断した場合には、楽曲判断手段３６４は次の部分データＰＤNすなわち部分データＰＤ2が楽曲であるか否かを判断するために、所定の部分データＰＤNである旨の変数Ｎに１を加える処理、すなわちＮ＝Ｎ＋１の処理を実施し（ステップＳ２１２）、ステップＳ２０３に戻って処理を継続する。
【００４４】
また、ステップＳ２０５において、周期性判断手段３６４Ｂが低音域のピークの間隔が略同一間隔でないと判断すると、楽曲判断手段３６４は、図８（Ａ）の斜線で示すような低音域ピークを認識した部分データＰＤNすなわち部分データＰＤ1が楽曲でないと判断する（ステップＳ２１３）。そして、記憶制御手段３６６は、図８（Ｂ）に示すように、仮記憶制御手段３６３でメモリ３４０に記録されている図８（Ａ）に示すような判断対象であった部分データＰＤNすなわち部分データＰＤ1を削除する処理をする（ステップＳ２１４）。この後、楽曲データ取得手段３６５は、フラグ情報Ｒが楽曲を認識した旨である「１」か否かを判断する（ステップＳ２１５）。このステップＳ２１５において、フラグ情報Ｒが「１」ではないと判断すると、それまで楽曲を認識しておらずまだ楽曲が始まっていないと判断し、ステップＳ２１０に進み、以降の処理を実施する。
【００４５】
一方、ステップＳ２１５において、楽曲データ取得手段３６５は、フラグ情報Ｒが「１」であると判断すると、図５に示すように、既に処理が進行して複数の部分データＰＤNが仮記録されて楽曲判断されている状態であり、既に前の部分データＰＤNを楽曲と判断しており、ステップＳ２１３の判断まで楽曲が継続していたと認識し、ステップＳ２１３の楽曲でないとの判断で楽曲が終了したと判断する。このことにより、楽曲データ取得手段３６５は、仮記憶制御手段３６３で延長して仮記録中の楽曲データＤNの仮記録を停止させる（ステップＳ２１６）。さらに、楽曲データ取得手段３６５は、楽曲データＤNの開始位置ＳnからステップＳ２１６で仮記録を停止した計時手段３６８で計時する現在時刻までの経過時間、すなわち仮記録時間を演算する（ステップＳ２１７）。そして、ステップＳ２１７で演算した経過時間である仮記録時間があらかじめ設定されている閾値の経過時間以上か否かを判断する（ステップＳ２１８）。
【００４６】
このステップＳ２１８において、楽曲データ取得手段３６５は、楽曲データＤNの仮記録時間が所定の経過時間以上ではない、すなわち経過時間に満たないと判断すると、仮記録していた楽曲データＤNは記録手段３５０に記録させる適切な楽曲構成ではないと判断する。この記録に適切でない構成としては、例えば、楽曲のイントロダクションの部分のみである場合、あるいは受信不良により放送番組データの受信が中断してしまった場合などが例示できる。このことにより、楽曲データ取得手段３６５は、記憶制御手段３６６により、仮記憶していた楽曲データＤNを、仮記憶制御手段３６３でメモリ３４０から削除させる処理をし（ステップＳ２１９）、ステップＳ２１０に進む。
【００４７】
一方、ステップＳ２１８において、楽曲データ取得手段３６５は、楽曲データＤNの仮記録時間が所定の経過時間以上であると判断すると、記憶制御手段３６６により、メモリ３４０に仮記録していた楽曲データＤNを記録手段３５０に記録、すなわち転送させて記録させる（ステップＳ２２０）。さらに、ステップＳ２２０において、記憶制御手段３６６は、仮記憶制御手段３６３により、仮記憶していた楽曲データＤNをメモリ３４０から削除させ、ステップＳ２１０に進む。このようにして、図５（Ａ）に示すような放送番組データから、図５（Ｂ）に示すように適宜抽出した部分データＰＤNの楽曲を順次認識する処理を繰り返し、図８（Ｃ）に示すように楽曲の部分データＰＤNを延長仮記録して、楽曲データＤNを取得する。
【００４８】
〔記録再生システムの作用効果〕
上述したように、上記実施の形態では、放送番組データ取得手段３６１で取得した放送番組データに、開始位置設定手段３６２により開始位置Ｓnを逐次設定するとともに、仮記憶制御手段３６３により開始位置Ｓnから放送番組データをメモリ３４０に仮記録させ、部分データＰＤNとして記録させる。さらに、楽曲判断手段３６４により、部分データＰＤNの音に関する楽曲特性を認識し、部分データＰＤNが楽曲か否かを判断する。そして、楽曲データ取得手段３６５により、楽曲判断手段３６４で楽曲であると判断した部分データＰＤNの開始位置Ｓnから仮記録している放送番組データを楽曲データＤNとして取得する。
【００４９】
このため、例えば放送番組データと合わせて楽曲を特定する付帯情報などが配信されない放送番組でも、楽曲を認識して放送番組データから抽出することができる。また、逐次設定した開始位置Ｓnから放送番組データを仮記録して複数の部分データＰＤNとして抽出するので、例えば部分データＰＤNが楽曲でないと判断した際に順次削除していくことにより、所定の記憶容量のメモリ３４０で楽曲の開始位置Ｓnを容易に認識できるとともに、楽曲か否かを判断する期間のデータは部分データＰＤNとして仮記録されているので、楽曲と判断してから放送番組データを記録する場合に楽曲の始めの部分が欠け落ちるなどの不都合も防止でき、ストリームデータとして一連に配信される放送番組データから簡単な構成で良好に楽曲データＤNを容易に取得できる。
【００５０】
さらに、楽曲データ取得手段３６５は、楽曲判断手段３６４にて楽曲であると判断した部分データＰＤNの開始位置Ｓn以降の開始位置Ｓn+mからの部分データＰＤN+Mの楽曲か否かを継続して判断することで、楽曲の終了位置も容易に特定でき、楽曲の開始から終了までの区間にほぼ対応した良好な楽曲データＤNを取得できる。
【００５１】
また、楽曲データ取得手段３６５は、部分データＰＤNの楽曲か否かの判断から楽曲データＤNを取得する方法として、楽曲判断手段３６４で楽曲と判断した部分データＰＤNの仮記憶制御手段３６３による仮記録を延長させて楽曲データＤNとして取得している。このため、部分データＰＤNの仮記憶を延長させる簡単な処理で、一連の楽曲データＤNを取得でき、演算手段３６０の構築が容易にできる。さらには、楽曲でないと最初に判断する時点を終了時点として認識し、それまでを楽曲データＤNとして取得することも容易にでき、より処理の容易化が得られ、演算手段３６０の構築がさらに容易にできる。
【００５２】
そして、楽曲ではないと判断した部分データＰＤNは、上記実施の形態のように順次削除すればよい。このことにより、メモリ３４０の記憶容量を有効活用でき、メモリ３４０の比較的に小さい簡易な構成を利用でき、構成の簡略化やコストの低減などが容易に得られる。
【００５３】
また、部分データＰＤNを開始位置Ｓnと関連付けて仮記憶している。このため、楽曲データＤNが始まる位置として認識する際に開始位置Ｓnをそのまま利用でき、処理の容易化および迅速化が容易に得られ、演算手段３６０の構築容易性の向上も容易に図れる。
【００５４】
さらに、上記実施の形態のように楽曲判断手段３６４にて楽曲か否かを判断するのに必要な時間長以上で部分データＰＤNを仮記憶すればよい。このため、一連の放送番組データを仮記録しておき、後で編集するなどの煩雑さや大きな記憶容量の記憶手段が必要となる不都合などを防止でき、必要最小限の記憶容量のメモリ３４０を用いればよく、構成の簡略化やコストの低減などが容易に図れる。
【００５５】
また、時間軸における前後で記録される部分データＰＤN+1，ＰＤN-1と時間帯が部分的に重なるタイミングで開始位置Ｓnを逐次設定している。このため、楽曲が始まる位置をより的確に認識でき、不要な発話部分などを含まない良好な楽曲データＤNを、比較的に小さな記憶容量のメモリ３４０の構成で容易に取得できる。
【００５６】
そして、楽曲判断手段３６４として、楽曲特性認識手段３６４Ａおよび周期性判断手段３６４Ｂを備えた構成としている。すなわち、楽曲特性を認識し、その楽曲特性の周期性を判断することで楽曲か否かを判断している。このため、一連のストリームデータである放送番組データでも、比較的に容易に楽曲か否かを判断でき、構成の簡略化や処理の迅速化が容易に図れる。また、楽曲特性の時間間隔が連続して複数回で略同一と判断することで楽曲と判断している。このため、より確実に楽曲を認識できる。
【００５７】
さらに、楽曲データ取得手段３６５は、仮記録時間が所定の経過時間に満たない楽曲データＤNを記録に適さないデータとして自動記録から除外している。このため、例えばイントロダクションのみの楽曲データＤNが多量に記録手段３５０に記録される不都合、さらには、それらイントロダクションのみの楽曲データＤNが多量に記録されることにより良好な楽曲データＤNを記録するための記録領域が十分に確保できなくなったり、仮に所望の楽曲データＤNを出力させる際に検索が煩雑となったりするなどの不都合も防止できる。
【００５８】
また、楽曲データ取得手段３６５にて取得した楽曲データＤNを自動的に記録手段３５０に記録させている。このため、利用者が記録を設定入力する必要がなく、利便性を向上できる。さらには、楽曲データＤNを記録手段３５０に記録した後に、自動的にメモリ３４０に延長仮記憶していた楽曲データＤNを削除するので、メモリ３４０の記憶容量を有効活用でき、メモリ３４０の比較的に小さい簡易な構成を利用でき、構成の簡略化やコストの低減などが容易に得られる。
【００５９】
そして、出力手段２００で取得した楽曲データＤNを適宜再生可能な構成、すなわち出力制御手段３６７を備えている。このため、取得した楽曲データＤNの構成を確認でき、記録するか否かを利用者が容易に判断でき、使い勝手を向上できる。
【００６０】
さらに、放送波およびネットワークの双方から放送番組データを取得できる構成としている。このため、使い勝手をより向上できる。
【００６１】
そして、演算手段３６０を例えばＣＰＵ（Central Processing Unit）などを用いてプログラムとして構成しているので、プログラムをインストールすることで、ストリームデータである一連の放送番組データから適切に楽曲データＤNを取得できる構成が容易に得られ、利用の拡大が容易に図れる。さらには、そのプログラムを記録媒体に記録し、適宜演算手段３６０、すなわちコンピュータに読み取らせる構成とすることで、容易に楽曲データＤNを取得できる構成が得られるとともに、プログラムを容易に取り扱いでき、利用の拡大が容易にできる。なお、本発明における演算手段としては、１つのコンピュータに限らず、複数のコンピュータをネットワーク状に組み合わせた構成、上述したようなＣＰＵやマイクロコンピュータなどの素子、あるいは複数の電子部品が搭載された回路基板などをも含む。
【００６２】
〔実施形態の変形〕
なお、本発明は、上述した各実施の形態に限定されるものではなく、本発明の目的を達成できる範囲で以下に示される変形をも含むものである。
【００６３】
すなわち、出力手段２００を備えた記録再生システム１００を例示して説明したが、本発明のコンテンツ取得装置としては、システム構成に限らず、本実施の形態の記録再生装置３００、さらには出力手段２００を一体に備えた記録再生装置などの装置構成としてもよい。また、記録再生可能な構成に限らず、抽出した楽曲データＤNを単に出力手段２００で再生させる再生装置、あるいは単に記録するのみの記録装置などとしてもよい。そして、システム構成として、ネットワークを介して接続した記録手段３５０に記録させたり、ネットワークを介して接続した出力手段２００から再生させたりするなどのネットワーク構成としてもよい。さらには、設置型の構成に限らず、ノート型のパーソナルコンピュータやＰＤＡ（Personal Digital Assistant）、携帯電話などの携帯型、あるいは車載型の構成、ＣＰＵ（Central Processing Unit）などの集積回路や各種電気部品が搭載された回路基板構成などとしてもよい。これらのように、いずれの形態を対象とすることができる。
【００６４】
また、楽曲データを取得する構成を例示して説明したが、放送番組データから映画などの画像データをコンテンツデータとして取得したり、さらには各種アプリケーションソフトウェアなどをコンテンツデータとして取得したりする構成としてもよい。なお、画像データとして取得する場合には、画像の特性、例えばコントラストやブライトなどの明るさや色バランスなどの画像に関する特性に基づいて、コンテンツか否かを判断して同様に取得すればよく、アプリケーションソフトウェアなども同様に特性を認識して判断すればよい。
【００６５】
そして、放送番組データ取得手段３６１として、チューナ部３１０や通信手段３２０で取得した放送番組データをそのまま取得する構成に限らず、例えば操作手段３３０により設定入力されたジャンルに基づいて、楽曲判断手段３６４で認識した楽曲特性で特定したジャンルの楽曲データＤNを取得するなどしてもよい。このように、楽曲のジャンルをも特定して楽曲データＤNを取得することも可能であり、このような構成により、より使い勝手がよい構成を提供できる。
【００６６】
また、開始位置設定手段３６２の開始位置Ｓnの設定タイミングとしては、所定時間毎に限らず、任意の時間で設定できる。例えば、楽曲判断手段３６４で楽曲でないと判断した時点で次の開始位置Ｓnを設定したり、放送番組データにおける無信号状態、例えば所定の音量以下となる無音状態を認識した際に設定したりするなどが例示できる。ここで、無音状態としては、単に無音のみならず、所定の音量以下で、ノイズや雑音などを考慮して発話や楽曲でない音量レベル以下を含む。この無音状態で開始位置Ｓnを設定することで、一般的に楽曲紹介の発話の後に楽曲が放送されるまでの無音状態を開始位置Ｓnとして設定することができ、楽曲データＤNを確実に楽曲の最初から適切に取得することが簡単な構成で容易にできる。なお、像データの場合では、例えば画像が表示されないようなブライトレベルがほとんど０のような無信号状態や、像データが切り替えられる際の像データが出力されない無信号状態などが例示できる。また、所定時間毎としては、楽曲特性を認識して楽曲か否かの判断ができない程度の時間長である１秒あるいは数秒程度に限らず、例えばメモリ３４０の記憶領域が比較的に大きく設定できる場合には、１秒に満たない短い時間で細かく設定したり、十分に楽曲か否かの判断ができる数秒以上に設定したりするなど、時間長を適宜設定でき、また利用者により適宜変更可能としてもよい。また、開始位置Ｓnとして、現在時刻に基づいて設定する構成に限らず、例えば最初の開始位置Ｓnからの経過時間など、位置を特定可能ないずれの方法が利用できる。
【００６７】
そして、仮記憶制御手段３６３は、開始位置Ｓnと関連付けて部分データＰＤNを仮記憶して説明したが、例えば通し番号などの識別番号を関連付けて記憶するなど、部分データＰＤNを特定可能ないずれの記憶形態が利用できる。なお、開始位置Ｓnを関連付けておくことにより、上述したように、楽曲データＤNが始まる位置として認識する際に開始位置Ｓnをそのまま利用できるので好ましい。また、仮記憶制御手段３６３として、部分データＰＤNが時間軸における前後で記録される部分データＰＤN+1，ＰＤN-1と時間帯が部分的に重なる時間長を例示して説明したが、例えば図９に示すように、重ならないように記録するなどしてもよい。そして、楽曲データＤNの取得処理として、上述した記録の延長に限らず、例えば、楽曲と判断した部分データＰＤNにその後から放送番組データを連結する状態に記録手段３５０に記憶させ、終了を認識した時点で記録を停止したり、図１０のフローチャートに示すように楽曲と判断した部分データＰＤNを順次連結したりするなどの処理をしてもよい。ここで、図１０に示す処理としては、図９に示す部分データＰＤNが重ならないように抽出する処理において特に有効である。図９は、本発明に係る他の実施の形態における放送番組データと抽出する部分データとの関係を示す説明図で、（Ａ）は放送番組データを示す概念図、（Ｂ）は部分データＰＤNを示す概念図、（Ｃ）は楽曲データＤNを示す概念図である。図１０は、他の実施の形態における楽曲判断取得処理の動作を示すフローチャートである。なお、上記実施の形態と同一の処理については同一の符号を付して説明を省略する。
【００６８】
すなわち、演算手段３６０は、上記実施の形態における図４に示すフローチャートと同様に、部分データ抽出処理を実施する。この部分データ抽出処理の際、ステップＳ１０４において、ステップＳ１０６で判断する部分データＰＤNの仮記録する時間長と同一の時間長、例えば楽曲判断手段３６４で楽曲か否かの判断が可能な数秒間経過したか否かを判断する。そして、部分データＰＤNの仮記録する時間長と同一の所定時間が経過した際に、ステップＳ１０５以降の処理を継続し、図９（Ａ）に示すような番組放送データから、図９（Ｂ）に示すように、仮記録する部分データＰＤNが時間軸で重なり合わずかつ連続する状態となるように、開始位置Ｓnを設定して部分データＰＤNを順次仮記憶する。
【００６９】
そして、図１０に示すように、ステップＳ２０６で部分データＰＤNが楽曲であると判断し、ステップＳ２０８でフラグ情報Ｒに楽曲を認識した旨の「１」を設定した後、記憶制御手段３６６により部分データＰＤNを記録手段３５０に記録させ（ステップＳ３０１）、ステップＳ２１０に進む。一方、ステップＳ２０６で楽曲であると判断した後のフラグ情報Ｒが「１」か否かの判断をするステップＳ２０７で、フラグ情報Ｒが「１」で既に楽曲を認識していると判断した場合、既に１つ前の部分データＰＤN-1が記録手段３５０に記録されているので、図９（Ｃ）に示すように、部分データＰＤN-1に楽曲判断した部分データＰＤNを一連に連結する状態に記録手段３５０に記録させ（ステップＳ３０２）、ステップＳ２１０に進む。
【００７０】
一方、ステップＳ２１３で部分データＰＤNが楽曲ではないと判断し、ステップＳ２１５でフラグ情報Ｒが「１」であると判断した場合、上記実施の形態における楽曲判断取得処理におけるステップＳ２１６の仮記録の停止処理に代えて、次の部分データＰＤNの楽曲判断のためにステップＳ２０２に戻る処理をする。このように順次楽曲判断し、楽曲と判断した部分データＰＤNを順次連結して記録することで、記録手段３５０には楽曲の部分データＰＤNが連結されて構成された一連の楽曲データＤNが生成される。なお、この図９および図１０に示す実施の形態の処理においても、上記実施の形態における楽曲判断取得処理のステップＳ２１７〜ステップＳ２２０と同様に、生成された楽曲データＤNが所定の仮記録時間以上のみ記録手段３５０に記録させるようにしてもよい。この場合、例えば記録手段３５０としてＨＤやＤＶＤ−ＲＷ（Digital Versatile Disc - ReWritable）のように記録および削除が可能な記録媒体の構成とすることで、記録手段３５０に楽曲データＤNを仮記録させ、所定の仮記録時間に満たない楽曲データＤNは削除するようにすればよい。
【００７１】
また、取得した楽曲データＤNを単に記録するのみならず、例えば最後の数秒間程度において、次第に音量が小さくなるいわゆるフェードアウトのような処理を実行してもよい。このような構成により、仮に最後の部分に発話の一部が含まれて楽曲データＤNが取得されてしまったような場合でも、利用者は発話を聞き取りにくくなり、より良好な楽曲データＤNの取得ができる。
【００７２】
さらに、楽曲判断手段３６４で認識する楽曲特性としては、低音域のピークに限らず、所定の周波数帯、あるいは所定の周波数帯における音量ピーク、所定レベル以上の音量など、楽曲としての例えばリズムやテンポなどが認識できるいずれの音に関する特性を対象とすることができる。また、特性の周期性を時間間隔で判断する他、楽曲としての例えばリズムやテンポなどが認識できるいずれの周期性を認識してもよく、さらには放送番組データと合わせて配信される楽曲に関する付帯情報を特性として認識したり、付帯情報に記載された情報に基づいて楽曲として判断したりするなどしてもよい。また、時間間隔での周期性の判断として、現在時刻に基づいて判断する場合に限らず、例えば所定の開始時間からの経過時間に基づいて周期性を判断するなどしてもよい。
【００７３】
また、楽曲か否かの判断として、楽曲特性の時間間隔の略同一か否かの判断は、複数回実施して略同一間隔であることを所定回数以上認識した場合に楽曲と判断する構成に限られない。例えば、隣り合う時間間隔で１回のみ比較する構成の他、任意の時間間隔で比較する構成、さらには時間間隔のずれ量に基づいてポイントを設定し、ポイント値に基づいて判断するなど、いずれの判断方法が利用できる。
【００７４】
そして、フラグ情報Ｒとしては、楽曲を認識していない旨の「０」と楽曲を認識した旨の「１」と設定する他、例えば楽曲である旨を「１」、楽曲でない旨を「０」として、部分データＰＤN毎にそれぞれ関連付けてフラグ情報を設定するなどしてもよい。
【００７５】
また、楽曲データ取得手段３６５における楽曲データＤNの終了時点の判断として、上述した楽曲であると判断してから逐次記憶している部分データＰＤN+Mが楽曲でないと最初に判断した時点に限らず、楽曲と判断してから最初に楽曲でないと判断した部分データＰＤN+Mの開始位置Ｓn+m（ｍは自然数）を終了時点として楽曲データＤNを取得したり、上述したように、部分データＰＤNを連結する場合には、最初に楽曲でないと判断した部分データＰＤN+Mの１つ前の部分データＰＤN+M-1までとしたりするなど、いずれの方法が適用できる。
【００７６】
そして、記憶制御手段３６６は、楽曲データ取得手段３６５が楽曲データＤNを取得したことを認識することにより、楽曲データＤNを記録手段３５０で記憶させるか否かを問う画面表示をさせて説明したが、画面表示させることなく自動的に記録手段３５０に記録してもよい。また、例えば楽曲データＤNを抽出する処理の開始を設定する際に、あらかじめ記録を自動とするか手動とするかを問う画面表示をさせ、その設定入力に応じて処理してもよい。さらには、例えば操作手段３３０により設定入力されたジャンルに基づいて、楽曲判断手段３６４で認識した楽曲特性からジャンルを判断し、設定入力されたジャンルのみ自動的に記録するなどしてもよい。また、楽曲判断手段３６４で部分データＰＤNをテキスト変換して、発話中にキーワードとして設定されたテキストデータのミュージシャン名であれば、それ以降の所定時間内に取得した楽曲データＤNをそのミュージシャンの楽曲データＤNであるとして自動的に記録したり、その楽曲データＤNとともにテキストデータを関連付けて記憶させるなどしてもよい。さらには、放送番組データとともに付帯情報を取得した場合には、その付帯情報に基づいてジャンルやミュージシャン名などに基づいて記録を制御するなどしてもよい。また、これら記録制御のみならず、出力制御手段３６７による出力手段２００で出力させるデータとして、一連の放送番組データのみならず、記録した楽曲データＤNのみとしたり、設定されたキーワードであるジャンルやミュージシャン名などに対応する楽曲データＤNのみ出力させたり、それらの組み合わせで出力可能としたりしてもよい。
【００７７】
また、ストリームデータとしては、放送波やインターネットなどのネットワークから取得する構成に限らない。例えば、放送番組などのストリームデータを記録媒体に記録した外部の記録装置を記録再生装置３００に接続し、この記録装置から記録されたストリームデータを放送番組データ取得手段３６１で取得させ、記録装置で記録したストリームデータから同様に楽曲データＤNを抽出させるなどすることもできる。さらには、マイクロフォンなどの集音手段や撮像手段を接続し、これら集音手段や撮像手段で取得した一連のストリームデータを放送番組データ取得手段３６１で取得させ、同様に楽曲データＤNを抽出させることもできる。
【００７８】
そして、付帯情報をも認識可能な構成としたが、単に上述した処理により抽出するのみの構成とすることができる。なお、付帯情報から楽曲データＤNを直接認識できる構成をも備えることで、より高速処理で楽曲データＤNを取得できる。
【００７９】
また、自動的に楽曲データＤNを記録させて説明したが、例えば記録するか否かを利用者による操作手段３３０における設定入力を促す画面表示をさせ、記録を要求する旨の設定入力がなされた場合のみ記録する構成としてもよい。さらに、楽曲データＤNの仮記録時間が所定時間以上の場合に記録させたが、この処理を実行せず、単に楽曲データＤNを記録させてもよい。
【００８０】
そして、受信した放送番組データ、取得した楽曲データＤN、記録手段３５０に記録された放送番組データや楽曲データＤNなどを適宜出力可能に説明したが、放送番組データのみ、あるいは取得した楽曲データＤNのみ、または記録手段３５０に記録した楽曲データＤNのみ、さらにはこれらの組み合わせで出力可能な構成など、出力する構成で限定されるものではない。
【００８１】
その他、本発明の実施の際の具体的な構造および手順は、本発明の目的を達成できる範囲で他の構造などに適宜変更できる。
【００８２】
〔実施の形態の効果〕
上述したように、取得した放送番組データに開始位置Ｓnを逐次設定し、開始位置Ｓnから放送番組データを部分データＰＤNとして仮記録させ、部分データＰＤNの音に関する楽曲特性を認識して楽曲か否かを判断し、楽曲であると判断した部分データＰＤNの開始位置Ｓnから仮記録している放送番組データを楽曲データＤNとして取得している。このため、例えば放送番組データと合わせて楽曲を特定する付帯情報などが配信されない放送番組でも、簡単な構成で容易に楽曲を認識して放送番組データから良好な楽曲データＤNを適切に取得できる。
【図面の簡単な説明】
【００８３】
【図１】本発明における一実施の形態に係る記録再生システムの概略構成を示すブロックである。
【図２】前記実施の形態における放送番組データと抽出する部分データと仮記録状態との関係を示す説明図で、（Ａ）は放送番組データを示す概念図、（Ｂ）は部分データＰＤNを示す概念図、（Ｃ）はメモリでの仮記録状態を示す概念図である。
【図３】前記実施の形態におけるメモリの仮記録状態を時間経過で変化する状況を示す説明図で、（Ａ）は記録開始直後の１つ目の部分データＰＤ1の仮記録状態、（Ｂ）は２つ目の部分データＰＤ2の記録開始状態、（Ｃ）は３つ目の部分データＰＤ3の記録開始状態、（Ｄ）は４つ目の部分データＰＤ4の記録開始状態、（Ｅ）は１つ目の部分データＰＤ1が所定時間記録した直後で次の５つ目の部分データＰＤ5の記録開始直前の状態、（Ｆ）は１つ目の部分データＰＤ1を削除してさらに次の６つ目の部分データＰＤ6の記録開始状態を示す。
【図４】前記実施の形態における部分データ抽出処理の動作を示すフローチャートである。
【図５】前記実施の形態における放送番組データと抽出する部分データとの関係を示す説明図で、（Ａ）は放送番組データを示す概念図、（Ｂ）は部分データＰＤNを示す概念図である。
【図６】前記実施の形態における楽曲判断取得処理における楽曲特性を認識する処理の動作を示すフローチャートである。
【図７】前記実施の形態における楽曲判断取得処理における楽曲を判断する処理の動作を示すフローチャートである。
【図８】前記実施の形態におけるメモリの仮記録状態を示す説明図で、（Ａ）は処理開始から所定時間経過後の各部分データＰＤNの仮記録状態、（Ｂ）は所定の部分データＰＤNが楽曲ではなく削除された状態、（Ｃ）は所定の部分データＰＤNが楽曲データＤNとして延長仮記録している状態を示す。
【図９】本発明に係る他の実施の形態における放送番組データと抽出する部分データとの関係を示す説明図で、（Ａ）は放送番組データを示す概念図、（Ｂ）は部分データＰＤNを示す概念図、（Ｃ）は楽曲データＤNを示す概念図である。
【図１０】他の実施の形態における楽曲判断取得処理の動作を示すフローチャートである。
【符号の説明】
【００８４】
１００…コンテンツ取得装置としても機能する記録再生システム
２００…出力手段
３００…コンテンツ取得装置としても機能する記録再生装置
３４０…記憶手段としてのメモリ
３５０…記録手段
３６０…コンテンツ取得装置としての演算手段
３６１…ストリームデータ取得手段としての放送番組データ取得手段
３６２…開始位置設定手段
３６３…仮記憶制御手段
３６４…コンテンツ判断手段としての楽曲判断手段
３６５…コンテンツデータ取得手段としての楽曲データ取得手段
３６６…記憶制御手段
３６７…出力制御手段
ＤN  …コンテンツデータである楽曲データ
ＰＤN  …部分データ
Ｓn  …開始位置
【図１】
2006236446.tif 000003
【図２】
2006236446.tif 000004
【図３】
2006236446.tif 000005
【図４】
2006236446.tif 000006
【図５】
2006236446.tif 000007
【図６】
2006236446.tif 000008
【図７】
2006236446.tif 000009
【図８】
2006236446.tif 000010
【図９】
2006236446.tif 000011
【図１０】
2006236446.tif 000012